(57)【要約】【課題】放射線計測装置の密閉状態を解くことなく、内部部品が健全であるかを確認できる放射性物質管理施設用電気装置を提供すること。【解決手段】放射性物質管理施設用電気装置１０は、放射性物質管理施設に配置された筐体５０と、筐体５０の内部空間５０ａに配置された電子機器２１と、筐体５０の内部空間５０ａに配置され、筐体５０の内部空間５０ａの湿気を吸収する湿気吸収体２５と、を備える。筐体５０の一部に、筐体５０の外部から湿気吸収体２５を視認可能な大きさの窓部２３が設けられており、窓部２３にアルカリのような透過性部材２３ａで密封し、湿気吸収体２５を視認可能にしている。【選択図】図１
2011196876.tif 000002
【特許請求の範囲】
【請求項１】
放射性物質管理施設に配置された筐体と、
前記筐体の内部に配置された電子機器と、
前記筐体の内部に配置され、前記筐体の内部の湿気を吸収する湿気吸収体と、を備え、
前記筐体は、前記筐体の外部から前記湿気吸収体を視認可能な大きさの窓部と、前記窓部を密封する前記筐体の外部から前記湿気吸収体を視認可能な透過性部と、を有する放射性物質管理施設用電気装置。
【請求項２】
放射性物質管理施設に配置された筐体と、
前記筐体の内部に配置された電子機器と、
前記筐体の内部に配置され、前記筐体の内部の湿気を吸収する湿気吸収体と、
前記筐体の内部に配置され、前記湿気吸収体を撮影する撮影部と、
前記撮影部によって撮影された撮像を表示する撮像表示部と、を備える放射性物質管理施設用電気装置。
【請求項３】
前記撮影部の出力信号線は、前記電子機器の出力信号線が通っているケーブルを通っている、請求項２に記載の放射性物質管理施設用電気装置。
【請求項４】
前記撮影部は、所定時間が経過する毎に、前記湿気吸収体を撮影し、
当該放射性物質管理施設用電気装置は、さらに、前記撮影部によって撮影された複数の撮像を記憶する記憶部と、前記複数の撮像に基づいて、前記湿気吸収体の交換時期を算出する制御算出部を備える、請求項２又は３に記載の放射性物質管理施設用電気装置。
【請求項５】
さらに、前記制御算出部からの報知信号に応じて報知する報知部を備え、
前記制御算出部は、前記複数の撮像のうち、連続して撮影された２つの撮像の変化の度合いが、他の連続して撮影された２つの撮像の変化の度合いより大きく異なる場合、前者の２つの撮像のうち撮影時刻が早いほうの撮像を、交換時期を迎えた湿気吸収体の交換湿気吸収体撮像とし、前記撮影部から送られた撮像が前記交換湿気吸収体撮像と同等の場合、前記湿気吸収体が異常であることを前記報知部に報知させる、請求項４に記載の放射性物質管理施設用電気装置。
【請求項６】
請求項４に記載の放射性物質管理施設用電気装置の電子機器監視方法であって、
所定時間が経過する毎に、前記湿気吸収体を撮影する撮影工程と、
前記撮影部によって撮影された複数の撮像を記憶する記録工程と、
前記複数の撮像に基づいて、前記湿気吸収体の交換時期を算出する算出工程とを備える電子機器監視方法。
【請求項７】
さらに、前記複数の撮像のうち、連続して撮影された２つの撮像の変化の度合いが、他の連続して撮影された２つの撮像の変化の度合いより大きく異なるかを判断する判断工程と、
前記判断工程において、大きく異なると判断した場合、前者の２つの撮像のうち撮影時刻が早いほうの撮像を、交換時期を迎えた湿気吸収体の交換湿気吸収体撮像とする交換対象特定工程と、
前記撮影部から送られた撮像が前記交換湿気吸収体撮像と同等かを判断する交換時期到来判断工程と、
前記交換時期到来判断工程において同等と判断した場合、前記湿気吸収体が異常であることを報知する報知工程とを備える、請求項６に記載の電子機器監視方法。
【発明の詳細な説明】
【技術分野】
【０００１】
本発明は、放射線計測装置の密閉状態を解くことなく、内部部品が健全であるかを確認することができる放射性物質管理施設用電気装置及びその電子機器監視方法に関する。
【背景技術】
【０００２】
図５に示すように、放射線を計測する装置である放射線計測装置２０は、原子力発電所のような放射性物質を取扱う管理区域を有する放射性物質管理施設１００の各所（例えば、放射性物質管理施設１００の壁に設けられた収納ボックス１１０）に配置されている（非特許文献１、２、３参照）。
【０００３】
放射線計測装置のうち、放射線を検出し、検出結果をμＡやｐＡという極微少電流で出力する検出器２２や、検出器２２から出力された極微少電流を増幅させるプリアンプ２４等の極微少電流で作動するタイプの放射線計測装置２０は、放射線計測装置２０の内部に極微少電流で作動する電子回路を設置している。
【０００４】
検出器２２は、検出器２２の作動に必要な部品を収容する１つの内部空間を有する。検出器２２は、一般に、点検者が通常の姿勢で視認可能な位置に設置され、点検者の目線より、若干上の位置（例えば、床面から１．８ｍから２ｍくらいの範囲の高さ）に設置されている。また、検出器２２は、壁に対して垂直になるように設置されており、例えば、天井から下方向に延びるフレームの先端に設置されているものもある。このように、検出器２２は、一般に、放射線を計測しやすい位置に設置され、検出器２２の内部を開けるに適している位置には設置されていないことが多い。また、検出器２２が配管の近傍の放射線を測定するように、検出器２２を配管に対して直角の方向に設置したり、配管に沿わせた格好で設置したりする。
【０００５】
検出器２２は、μＡやｐＡといった特に微小の電流を扱うので、プリアンプ２４は、分電圧効果が影響されにくい検出器２２に近いところに設置される。プリアンプ２４の大きさは、例えば、縦が約３０ｃｍ、横が約１５ｃｍから２０ｃｍの範囲内にあり、厚みが約１５ｃｍである。
【０００６】
検出器２２やプリアンプ２４などの電子回路は、μＡやｐＡという極微小電流を扱う構造になっているので、湿気による錆が電子回路に発生すると、電子回路の電気抵抗が変化し、ひいては、電子回路を流れる極微小電流が大きく変化してしまい、放射線計測装置は、正確な放射線計測をすることができない。プリアンプ２４は、図示しない専用のボックスの内部にボルトのような取付手段によって堅固に組み付けられている。そして、専用のボックスも壁等にボルトのような取付手段によって堅固に固定されている。
【０００７】
そこで、放射線計測装置は、放射線計測装置の内部が密閉構造となるように、堅固なフレームで形成し、放射線計測装置の内部にシリカゲルのような吸湿剤を設置し、放射線計測装置の内部を乾燥状態に維持している。また、放射線計測装置の内部に吸湿剤を入れるための蓋が、パッキン５８を介してフレームに取り付けられている。
【０００８】
放射線計測装置の内部に設置した吸湿剤やパッキンは経年劣化するので、放射線計測装置の内部を乾燥状態に安定的に維持させるために、放射線計測装置を点検する点検者は、電子回路、吸湿剤、パッキン等の内部部品を定期的に交換する必要がある。
【０００９】
放射線計測装置は、放射線計測装置が堅固なフレームで形成されているので、一般に、その内部を視認することができない。そこで、点検者は、放射線計測装置の密閉状態を解いて、放射線計測装置の内部の部品を取り出してから、放射線計測装置の内部の部品の交換が必要か否かの判断をしなければならない。
【００１０】
点検者は、放射線計測装置の外部から放射線計測装置の内部部品の状態を視認することができないので、点検者は、放射線計測装置の内部部品の状態がたとえ健全であっても、放射線計測装置の交換周期に従って、放射線計測装置の密閉状態を強制的に解き、内部部品を取り出す。
【００１１】
点検者が放射線計測装置の内部の部品を取り出すとき、健全状態な部品であったのにもかかわらず、放射線計測装置の密閉状態を強制的に解くことによって、健全状態であった部品に不用意な湿分が取り付く恐れがある。また、点検者が放射線計測装置の内部の部品を取り出すときに、点検者が、不用意に、内部の他の部品や回路を損傷させたり劣化促進させたりしてしまう恐れがある。特に、放射性物質管理施設の内部は、湿気が高いことが多いので、そのような状況で、放射線計測装置の密閉状態を強制的に解くことは、放射線計測装置の内部に設置していた吸湿剤が放射性物質管理施設の内部の湿気を吸ってしまい、吸湿剤本来の作用期間よりも早く効用が尽きてしまう。
【先行技術文献】
【非特許文献】
【００１２】
【非特許文献１】ｈｔｔｐ：／／ｗｗｗ．ｆｅｓｙｓ．ｃｏ．ｊｐ／ｓｏｕｇｏｕ／ｓｅｉｈｉｎ／ｐ０９／ｒａｄ．ｈｔｍｌ
【非特許文献２】ｈｔｔｐ：／／ｗｗｗ．ｆｅｓｙｓ．ｃｏ．ｊｐ／ｓｏｕｇｏｕ／ｓｅｉｈｉｎ／ｐ０９／ｐｄｆ／ＣＮＯ２１００−１ｂ．ｐｄｆ
【非特許文献３】ｈｔｔｐ：／／ｗｗｗ．ｊａｅａ．ｇｏ．ｊｐ／０４／ｔｕｒｕｇａ／ｊｔｕｒｕｇａ／ｒｅａｌｔｉｍｅ／ｕｎｃｈａｎｇｅ＿ｆｉｌｅ／ｅｘｐｌｎ＿１．ｈｔｍｌ
【発明の概要】
【発明が解決しようとする課題】
【００１３】
本発明の目的は、放射線計測装置の密閉状態を解くことなく、内部部品が健全であるかを確認することができる放射性物質管理施設用電気装置を提供することにある。
【課題を解決するための手段】
【００１４】
本発明に係る放射性物質管理施設用電気装置は、放射性物質管理施設に配置された筐体と、前記筐体の内部に配置された電子機器と、前記筐体の内部に配置され、前記筐体の内部の湿気を吸収する湿気吸収体と、を備える。前記筐体は、前記筐体の外部から前記湿気吸収体を視認可能な大きさの窓部と、前記窓部を密封する前記筐体の外部から前記湿気吸収体を視認可能な透過性部と、を有する。
【００１５】
本発明に係る別の放射性物質管理施設用電気装置は、放射性物質管理施設に配置された筐体と、前記筐体の内部に配置された電子機器と、前記筐体の内部に配置され、前記筐体の内部の湿気を吸収する湿気吸収体と、前記筐体の内部に配置され、前記湿気吸収体を撮影する撮影部と、前記撮影部によって撮影された撮像を表示する撮像表示部と、を備える。
【００１６】
本発明に係る別の放射性物質管理施設用電気装置の前記撮影部の出力信号線は、前記電子機器の出力信号線が通っているケーブルを通っている。
【００１７】
本発明に係る別の放射性物質管理施設用電気装置において、前記撮影部は、所定時間が経過する毎に、前記湿気吸収体を撮影し、前記撮像表示部は、前記撮影部によって撮影された複数の撮像を記憶し、当該放射性物質管理施設用電気装置は、さらに、前記複数の撮像に基づいて、前記湿気吸収体の交換時期を算出する制御算出部を備えていてもよい。
【００１８】
本発明に係る別の放射性物質管理施設用電気装置において、さらに、前記制御算出部からの報知信号に応じて報知する報知部を備え、前記制御算出部は、前記複数の撮像のうち、連続して撮影された２つの撮像の変化の度合いが、他の連続して撮影された２つの撮像の変化の度合いより大きく異なる場合、前者の２つの撮像のうち撮影時刻が早いほうの撮像を、交換時期を迎えた湿気吸収体の交換湿気吸収体撮像とし、前記撮影部から送られた撮像が前記交換湿気吸収体撮像と同等の場合、前記湿気吸収体が異常であることを前記報知部に報知させるようにしてもよい。
【００１９】
本発明に係る放射性物質管理施設用電気装置の電子機器監視方法は、所定時間が経過する毎に、前記湿気吸収体を撮影する撮影工程と、前記撮影部によって撮影された複数の撮像を記憶する記録工程と、前記複数の撮像に基づいて、前記湿気吸収体の交換時期を算出する算出工程とを備える。
【００２０】
本発明に係る放射性物質管理施設用電気装置の電子機器監視方法は、さらに、前記複数の撮像のうち、連続して撮影された２つの撮像の変化の度合いが、他の連続して撮影された２つの撮像の変化の度合いより大きく異なるかを判断する判断工程と、前記判断工程において、大きく異なると判断した場合、前者の２つの撮像のうち撮影時刻が早いほうの撮像を、交換時期を迎えた湿気吸収体の交換湿気吸収体撮像とする交換対象特定工程と、前記撮影部から送られた撮像が前記交換湿気吸収体撮像と同等かを判断する交換時期到来判断工程と、前記交換時期到来判断工程において同等と判断した場合、前記湿気吸収体が異常であることを報知する報知工程とを備える。
【発明の効果】
【００２１】
本発明に係る放射性物質管理施設用電気装置によれば、筐体の外部から湿気吸収体を視認可能な大きさの窓部を密封し、かつ筐体の外部から湿気吸収体を視認可能な透過性部を有するので、湿度センサー部のような新たな電子機器を用いなくても、点検者は、透過性部を介して湿気吸収体の状態を視認することができ、密閉した状態の筐体の内部の湿度が適切か否かを判断することができる。なお、この窓部と透過性部とは、本発明に係る放射性物質管理施設用電気装置に備えれば、湿度センサー部による監視と目視による監視が可能になる。
【００２２】
また、本発明に係る放射性物質管理施設用電気装置によれば、撮影部が湿気吸収体を撮影し、その撮影された撮像を撮像表示部に表示するので、点検者は、湿気吸収体のある場所に行かなくても、撮像表示部に映し出された湿気吸収体の状態を確認することができる。
【００２３】
また、撮影部は、所定時間が経過する毎に、湿気吸収体を撮影し、表示部は、撮影部によって撮影された複数の撮像を記憶してもよい。そして、放射性物質管理施設用電気装置１０ａは、さらに、その複数の撮像に基づいて、湿気吸収体の交換時期を算出する制御算出部を備える。これにより、点検者は、長時間かかって経年変化する湿気吸収体の状況を短時間で確認することができる。
【００２４】
また、制御算出部は、複数の撮像のうち、連続して撮影された２つの撮像の変化の度合いが、他の連続して撮影された２つの撮像の変化の度合いより大きく異なる場合、前者の２つの撮像のうち撮影時刻が早いほうの撮像を、交換時期を迎えた湿気吸収体の交換湿気吸収体撮像とする。そのようにすることで、制御算出部は、撮影部から送られた撮像が交換湿気吸収体撮像と同等の場合、湿気吸収体が異常であることを報知することができる。
【図面の簡単な説明】
【００２５】
【図１】本発明に係る放射性物質管理施設用電気装置の概要を示す概要図である。
【図２】図１に示した放射性物質管理施設用電気装置の検出器の斜視図である。
【図３】本発明に係る別の放射性物質管理施設用電気装置の概要を示す概要図である。
【図４】本発明に係るさらに別の放射性物質管理施設用電気装置の概要を示す概要図である。
【図５】本発明に係るさらに別の放射性物質管理施設用電気装置の概要を示す概要図である。
【図６】従来の放射性物質管理施設用電気装置を示す斜視図である。
【発明を実施するための形態】
【００２６】
以下、本発明の実施形態について、図面を参照しながら詳細に説明する。
【００２７】
（第１実施形態）
図１を参照すると、本発明に係る放射性物質管理施設用電気装置が、全体に符号１０で示されている。
【００２８】
図１に示すように、放射性物質管理施設用電気装置１０は、本実施形態では、放射線計測装置であり、放射性物質管理施設１００の内部に設置された、放射線を検出する検出器２２と、検出器２２から出力された極微少電流を増幅させるプリアンプ２４とを備える。検出器２２及びプリアンプ２４は、電子機器２１を構成し、筐体５０の内部空間５０ａに気密的に収容されている。
【００２９】
プリアンプ２４は、検出器２２から出力された極微少電流を増幅させ、増幅させた電流を、ケーブル２８の内部のプリアンプ用出力信号線を介して、管理区域外に設置されている中央制御室４０の制御算出部４１に検出電流として出力するように構成されている。
【００３０】
中央制御室４０は、プリアンプ用出力信号線を介して出力される検出電流を受ける制御算出部４１と、検出電流に基づいて放射線の量を表示する指示部４２と、を備える。
【００３１】
指示部４２は、プリアンプ２４から出力された電流に基づいて、検出器２２が検出した放射線の量を表示するように構成されている。
【００３２】
管理区域内である放射性物質管理施設１００を監視する監視人は、管理区域外で、放射性物質管理施設１００の内部の放射線の量が異常でないかを指示部４２の表示で監視する。
【００３３】
内部空間５０ａには、検出器２２及びプリアンプ２４が湿気により誤動作しないようにするシリカゲル等の湿気吸収体２５が収容されている。
【００３４】
図２に示すように、筐体５０は、内部が空洞の直方体の形状で所定の大きさの内部空間５０ａを有すると共に、この内部空間５０ａに連続した開口部５４を有する。さらに、筐体５０は、筐体５０の開口部５４にパッキンを介して気密的に組み付けられる蓋部５６を備える。
【００３５】
図１及び図２に示すように、筐体５０には、本実施形態では、筐体５０の一部に、筐体５０の外部から湿気吸収体２５を視認可能な大きさの窓部２３が設けられており、さらに、窓部２３にアルカリのような透過性部材２３ａで密封し、湿気吸収体２５を視認可能にしている。窓部２３の大きさは、内部空間５０ａに配置された湿気吸収体２５を視認できる大きさであれば、特に限定されないので、例えば、窓部２３を図２の手前側の側面の全体に設けてもよい。
【００３６】
図２に示すように、蓋部５６は、パッキン５８を介して開口部５４に気密的に取り付けられる。より具体的には、開口部５４の周囲には筐体側フランジ部５１が筐体５０と一体的に形成されており、筐体側フランジ部５１には、複数の貫通孔が形成されている。また、パッキン５８は、筐体側フランジ部５１とほぼ同一の形状を有しており、このパッキン５８には、筐体側フランジ部５１に形成された複数の貫通孔と同じ位置に、それぞれ、複数の貫通孔が形成されている。
【００３７】
蓋部５６は凹状の断面形状を有し、その凹状の開口の周囲に蓋側フランジ部５７が形成されている。蓋側フランジ部５７は、筐体側フランジ部５１とほぼ同じ形状を有する。蓋側フランジ部５７には、筐体側フランジ部５１に形成された複数の貫通孔に、それぞれ、対応するように、複数の貫通孔が形成されている。図示の例では、筐体側フランジ部５１、蓋側フランジ部５７、パッキン５８に形成された貫通孔の数は、それらの四隅に対応するように、４つとなっている。
【００３８】
蓋部５６は、図示の例では、蓋側フランジ部５７、パッキン５８、筐体側フランジ部５１の貫通孔を貫通するボルト・ナット６２によって、確実に組み付けられる。筐体側フランジ部５１と蓋側フランジ部５７との間には、パッキン５８が挟み込まれているので、蓋部５６と筐体５０とは、気密的に、即ち、密閉状態で組み付けられる。
【００３９】
放射性物質管理施設用電気装置１０の湿気吸収体２５は、以下のようにして取り扱われる。
【００４０】
まず、点検者は、管理区域外で、ボルト６２を完全に緩ませて、ボルトとナットとの螺合を解かし、筐体５０の蓋部５６を開ける。
【００４１】
次に、点検者は、筐体５０の内部空間５０ａに、湿気吸収体２５を配置する。このとき、湿気吸収体２５は、筐体５０の窓部２３から視認可能な位置に配置することが好ましい。
【００４２】
次に、再び、筐体側フランジ部５１にパッキン５８を配置し、さらに、パッキン５８に蓋側フランジ部５７を配置して、ボルト・ナット６２によって、気密状態になるように確実に取り付ける。
【００４３】
そして、点検者は、検出器２２及びプリアンプ２４を収容した筐体５０を、管理区域内に設置する。
【００４４】
これにより、検出器２２及びプリアンプ２４は作動を開始し、管理区域内の放射線の検出を開始する。
【００４５】
点検者は、検出器２２及びプリアンプ２４が正常に作動しているかを、透過性部材２３ａを介して湿気吸収体２５の状態を目視することで確認する。これにより、点検者は、筐体５０の密封性を解かずに、湿気吸収体２５の経年劣化の度合いを簡単に把握することができる。
【００４６】
このように、放射性物質管理施設用電気装置１０の検出器２２及びプリアンプ３４を内部空間５０ａに備えた筐体５０は、窓部２３と、窓部２３に視認可能な透過性部材２３ａとを設けたので、点検者が視認可能な窓部２３を介して湿気吸収体２５の経年劣化の進行具合を視認で確認することができる。
【００４７】
（第２実施形態）
図３に示すように、放射性物質管理施設用電気装置１０ａは、さらに、放射性物質管理施設用電気装置１０の筐体５０の内部空間５０ａに、湿気吸収体２５を撮像する撮影部２７を備え、また、中央制御室４０に、撮像された画像を表示する表示部４３を備え、かつ、窓部２３を省略した構成を有している。
【００４８】
放射性物質管理施設用電気装置１０ａは、さらに、撮影部２７は、所定時間が経過する毎に、湿気吸収体２５を撮影するように構成されている。放射性物質管理施設用電気装置１０ａは、撮影部２７によって撮影された複数の撮像を記憶する記憶部４４を備える。制御算出部４１は、複数の撮像に基づいて、湿気吸収体２５の交換時期を算出するようにも構成されている。これにより、点検者は、記憶部４４に記憶された複数の撮像を見ることにより、長時間かかって経年変化する湿気吸収体２５の状況を短時間で確認することができる。
【００４９】
また、放射性物質管理施設用電気装置１０ａは、さらに、制御算出部４１からの報知信号に基づいて点検者に報知する報知部４５を備える。制御算出部４１は、複数の撮像のうち、連続して撮影された２つの撮像の変化の度合いが、他の連続して撮影された２つの撮像の変化の度合いより大きく異なる場合、前者の２つの撮像のうち撮影時刻が早いほうの撮像を、交換時期を迎えた湿気吸収体の交換湿気吸収体撮像とする。そのようにすることで、制御算出部は、撮影部２７から送られた撮像が交換湿気吸収体撮像と同等の場合、湿気吸収体２５が異常であることを報知部４５に報知させるように構成している。
【００５０】
撮影部２７は、筐体５０の内部空間５０ａの湿気吸収体２５を撮影し、撮影された画像のデータをケーブル２８の内部の画像データ用出力信号線、及び、管理区域外に設置されている中央制御室４０の制御算出部４１を介して、表示部４３に出力する。点検者は、管理区域外で、筐体５０の内部空間５０ａの湿気吸収体２５が異常でないかを表示部４３の画像で監視することができる。よって、表示部４３は、撮像表示部としても作用する。
【００５１】
さらに、筐体５０には、放射性物質管理施設用電気装置１０と同様の、筐体５０の外部から湿気吸収体２５を視認可能な大きさの窓部を設けてもよい。そして、窓部２３にアルカリのような透過性部材で密封し、湿気吸収体２５を視認可能にしてもよい。そのようにすることにより、撮影部２７に不具合が生じても、点検者は、透過性部材を介して湿気吸収体２５を点検することができる。
【００５２】
（第３実施形態）
図４に示すように、放射性物質管理施設用電気装置１０ｂは、放射性物質管理施設１００の内部に設置された、放射線を検出する検出器３２と、検出器３２から出力された極微少電流を増幅させるプリアンプ３４とを備える。本実施形態では、１つの検出器３２で１つの電子機器２１を構成し、また、１つのプリアンプ３４で１つの電子機器２１を構成している。
【００５３】
検出器３２の筐体８０ａの内部空間７０ａには、検出用の電子回路等を構成する電子機器としての電子機器部３２ａ及び電子機器部３２ａか湿気により誤動作しないようにするシリカゲル等の湿気吸収体３２ｂが収容されている。プリアンプ３４の筐体８０ｂの内部空間７０ｂにも、電子回路等を構成する電子機器部３４ａ及びシリカゲル等の湿気吸収体３４ｂが収容されている。
【００５４】
検出器３２の筐体８０ａ及びプリアンプ３４の筐体８０ｂは、それぞれ、筐体８０ａ及び８０ｂの外部から湿気吸収体３２ｂ及び３４ｂを視認可能な大きさの窓部２３及び２３が設けられており、さらに、窓部２３及び２３に、それぞれ、アルカリのような透過性部材２３ａ及び２３ａで密封し、湿気吸収体３２ｂ及び３４ｂを視認可能にしている。窓部２３の大きさは、内部空間７０ａ及び７０ｂに配置された湿気吸収体３２ｂ及び３４ｂを視認できる大きさであれば、特に限定されない。
【００５５】
プリアンプ２４の筐体８０ｂには、筐体８０ｂの外部から湿気吸収体３４ｂを視認可能な大きさの窓部２３が設けられており、さらに、窓部２３にアルカリのような透過性部材２３ａで密封し、湿気吸収体３４ｂを視認可能にしてもよい。そのようにすることにより、検査者は、透過性部材２３ａから湿気吸収体３４ｂを監視することができる。
【００５６】
（第４実施形態）
図５に示すように、放射性物質管理施設用電気装置１０ｃは、放射性物質管理施設１００の検出器３２及びプリアンプ３４の内部空間７０ａ及び７０ｂに、さらに、それぞれ、ＣＣＤカメラのような撮影部３２ｄ及び３４ｄを備え、また、窓部２３を省略している。
【００５７】
検出器３２及びプリアンプ３４の撮影部３２ｄ及び３４ｄは、それぞれ、検出器３２及びプリアンプ２４の内部空間７０ａ及び７０ｂに設置された湿気吸収体３２ｂ及び３４ｂを撮影し、撮影された画像のデータをケーブル２８の内部の画像データ用出力信号線を介して、管理区域外に設置されている中央制御室４０の表示部４３に出力する。点検者は、管理区域外で、検出器３２及びプリアンプ３４の内部空間７０ａ及び７０ｂの湿気吸収体３２ｂ及び３４ｂが異常でないかを表示部４３の画像で監視することができる。よって、表示部４３は、撮像表示部としても作用する。
【００５８】
以上、本発明の実施形態について、図面を参照して説明したが、これらはあくまでも一実施形態であって、本発明の技術的範囲はこれに限定されるわけではない。
【符号の説明】
【００５９】
１０  放射性物質管理施設用電気装置
１０ａ  放射性物質管理施設用電気装置
１０ｂ  放射性物質管理施設用電気装置
１０ｃ  放射性物質管理施設用電気装置
２０  放射線計測装置
２１  電子機器
２２  検出器
２３  窓部
２３ａ  透過性部材
２４  プリアンプ
２５  湿気吸収体
２７  撮影部
２８  ケーブル
３２  検出器
３２ａ  電子機器部
３２ｂ  湿気吸収体
３２ｄ  撮影部
３４  プリアンプ
３４ａ  電子機器部
３４ｂ  湿気吸収体
３４ｄ  撮影部
４０  中央制御室
４１  制御算出部
４２  指示部
４３  表示部
４４  記憶部
４５  報知部
５０  筐体
５０ａ  内部空間
７０ａ  内部空間
７０ｂ  内部空間
８０ａ  筐体
８０ｂ  筐体
１００  放射性物質管理施設
１１０  収納ボックス
【図１】
2011196876.tif 000003
【図２】
2011196876.tif 000004
【図３】
2011196876.tif 000005
【図４】
2011196876.tif 000006
【図５】
2011196876.tif 000007
【図６】
2011196876.tif 000008